(57)【特許請求の範囲】
【請求項１】
硬貨の入出金処理を行い、かつ不足する硬貨が補充されるように構成された硬貨処理装置であって；
不足する硬貨を貯溜する硬貨補充庫と；
硬貨入金口から投入された硬貨の正偽を識別する第１の硬貨識別部と；
前記硬貨補充庫から繰り出された硬貨の正偽を識別する第２の硬貨識別部と；
前記第１の硬貨識別部を通過した硬貨を金種毎に分別する第１の硬貨分別部と；
前記第２の硬貨識別部を通過した硬貨を金種毎に分別する第２の硬貨分別部と；
前記第１の硬貨分別部の下方に配置されて前記第１の硬貨分別部で分別された硬貨を金種毎に一時保留する硬貨一時保留部と；
前記第２の硬貨分別部の下方に配置されて前記第２の硬貨分別部で分別された硬貨を金種毎に一時保留する補充硬貨一時保留部と；
前記硬貨一時保留部及び前記補充硬貨一時保留部の下方に配置されて前記硬貨一時保留部に一時保留された硬貨及び前記補充硬貨一時保留部に一時保留された硬貨を金種毎に貯溜する硬貨貯溜部とを備えたことを特徴とする；
硬貨処理装置。
【請求項２】
前記硬貨一時保留部の下方に配置されて返却される硬貨を出金口に戻すために用いられる入金返却通路と；
前記補充硬貨一時保留部の下方に配置されてリジェクトされる硬貨を回収するために用いられる補充硬貨リジェクト庫とを備えたことを特徴とする；
請求項１に記載の硬貨処理装置。
【請求項３】
前記第１の硬貨分別部から前記硬貨一時保留部への硬貨の移動、前記第２の硬貨分別部から前記補充硬貨一時保留部への硬貨の移動、前記硬貨一時保留部から硬貨貯溜部又は前記入金返却通路への硬貨の移動及び前記補充硬貨一時保留部から硬貨貯溜部又は前記補充硬貨リジェクト庫とへの硬貨の移動は硬貨の落下により行なわれることを特徴とする；
請求項２に記載の硬貨処理装置。
【請求項４】
請求項１乃至請求項３のいずれか１項に記載の硬貨処理装置を備えることを特徴とする自動機械システム。
【請求項５】
請求項１乃至請求項３のいずれか１項に記載の硬貨処理装置を備えることを特徴とする入出金装置。
【発明の詳細な説明】
【０００１】
【発明の属する技術分野】
本発明は、駅の自動券売機や金融機関内に設置されるオンラインシステムの入出金端末装置、競馬場内に設置される自動入出金装置等に内蔵されて硬貨の入出金を処理する硬貨処理装置に関するものである。
【０００２】
【従来の技術】
硬貨処理装置は、硬貨入金口から入金された硬貨の合計額を算出して表示し、購入した券等の額を入金額から差し引いた釣銭を払い出したり、あるいは券を精算した金額の硬貨を払い出したりする装置である。この釣銭等に充当するための硬貨は、金種毎に予め準備金として硬貨貯溜部に貯溜させておくとともに、利用者の投入硬貨も金種毎に分別して釣銭用に充当するようにしている。即ち、いわゆる循環方式の構造になっていて、釣銭不足による硬貨処理装置の停止の回避が図られている。
【０００３】
上記の準備金を用意しておくのは、釣銭として利用頻度の高い金種については利用者の投入量よりも支払い量の方が多くなってその金種の絶対量の不足を招来するなど、不測の事態の発生を末然に防止するためである。また、利用者による投入硬貨を釣銭に充当するのは、全ての釣銭を準備金だけで賄うことにすると頻繁に準備金の補充をしなければならず煩雑になるからである。
【０００４】
このような循環方式を採用した硬貨処理装置としては、特開平８−１６８７９号に開示されたものがある。この硬貨処理装置は、投入硬貨を収納しつつ整列させて送出するホッパーフィード機構と、このホッパーフィード機構から送出される硬貨を金種毎に分別するとともに、金種毎に設けられた通路へ送出する分別機構と、各通路毎に設けられた釣銭貯溜機構と、釣銭貯溜機構に入れておく硬貨以外に、多数必要と考えられる硬貨を予め準備金として収納しておく硬貨カセット等を備えている。
【０００５】
硬貨処理装置の入金口に投入された硬貨（通常、一度に複数枚の場合が多く、金種も異なることが多い）は、ホッパーフィード機構によって整列されて分別機構に送られ金種毎に分別されて釣銭貯溜機構に収納される。釣銭が必要な場合は、釣銭貯溜機構から必要な金額の硬貨が繰り出され、出金口に釣銭として払い出される。
【０００６】
釣銭貯溜機構内の特定の金種の硬貨が不足すると、対応する金種が入っている硬貨カセットから硬貨が補充されるようになっている。この場合、硬貨カセットとして、全ての金種用のものを用い、且つ大容量のものとしておけば問題はないのであるが、装置の寸法に制限があるので困難である。
【０００７】
したがって、この装置では、釣銭が足りなくなった場合には、硬貨処理装置のホッパーフィード機構のホッパー部に硬貨を複数枚投入して、ホッパーフィード機構によって分別機構に送出させ、釣銭貯溜機構に釣銭として貯溜させるようにしている。
【０００８】
【発明が解決しようとする課題】
しかしながら、この硬貨処理装置は、釣銭用に補充する硬貨も、上述したように利用者が投入する場合と同じホッパーフィード機構、分別機構等を利用するため、硬貨の補充をする際には、一旦利用者の使用を停止しなければならないという不便がある。
【０００９】
したがって本発明は、このような従来技術の課題に鑑みてなされたものであり、硬貨処理の利用を停止することなく不足硬貨の補充を行うことのでき、且つ従来の硬貨処理装置と比べて大型にならない硬貨処理装置の提供を、その目的としている。
【００１０】
【課題を解決するための手段】
上記目的を達成するために、本発明による硬貨処理装置は、図１に示すように、硬貨の入出金処理を行い、かつ不足する硬貨が補充されるように構成された硬貨処理装置であって；硬貨入金口１６から投入された硬貨を処理する入金処理系統と；補充された硬貨を処理する補充硬貨処理系統とを備えたことを特徴とする。
【００１１】
このように構成すると、補充硬貨処理系統を備えるので、入金処理を継続したままで硬貨の補充ができる。
【００１２】
また、本発明による硬貨処理装置は、不足する硬貨を貯溜する硬貨補充庫をさらに備え；前記硬貨補充庫に貯溜された硬貨を前記補充硬貨処理系統に供給するように構成されてもよく、このように構成すると、硬貨補充庫を備えるので、入金口を用いなくても硬貨補充庫から不足する硬貨を補充できる。
【００１３】
また、本発明による硬貨処理装置は、硬貨の入出金処理を行い、かつ不足する硬貨が補充されるように構成された硬貨処理装置であって；不足する硬貨を貯溜する硬貨補充庫と；硬貨入金口から投入された硬貨の正偽を識別する第１の硬貨識別部と；硬貨補充庫から繰り出された硬貨の正偽を識別する第２の硬貨識別部と；前記第１の硬貨識別部を通過した硬貨を金種毎に分別する第１の硬貨分別部と；前記第２の硬貨識別部を通過した硬貨を金種毎に分別する第２の硬貨分別部と；前記第１及び第２の硬貨分別部で分別された硬貨を金種毎に貯溜する硬貨貯溜部とを備える。
【００１４】
このように構成すると、利用者が硬貨投入口から投入した硬貨は、第１の硬貨識別部によって硬貨の正偽が識別され、正しい硬貨の場合、すなわち偽硬貨や変形したものを除き、第１の硬貨分別部に送られて金種毎に分別され、硬貨貯溜部に金種毎に貯溜される。なお、釣銭等の出金は、硬貨貯溜部に貯溜されている硬貨が、必要な枚数だけ取り出されて出金口に払い出される。
【００１５】
一方、硬貨補充庫に投入された硬貨は、第２の硬貨識別部によって硬貨の正偽が識別され、正しい硬貨の場合、第２の硬貨分別部に送られて金種毎に分別され、硬貨貯溜部に金種毎に貯溜される。不足した釣銭用の硬貨が複数の金種であっても、まとめて硬貨補充庫に投入するだけで、各金種に対応する硬貨貯溜部に収納され釣銭として使用することができる。その際に、硬貨の正偽識別や金種の分別は、利用者が投入した硬貨と、硬貨補充庫に投入した硬貨の正偽識別や金種の分別が別々におこなわれるので、硬貨の補充の際に利用停止をおこなわなくても済む。
【００１６】
【発明の実施の形態】
以下、本発明の実施の形態について、図面を参照して説明する。なお、各図において互いに同一あるいは相当する部材には同一符号を付し、重複した説明は省略する。
【００１７】
図１は、この硬貨処理装置１０の正面図（断面図）で、図２はこの硬貨処理装置１０を右側から見た側面図で接客面である。なお、内部構造の説明のため断面で示している。また、図３は、図１に示す硬貨処理装置１０のＡ−Ａ線による断面図、図４はＢ−Ｂ線による断面図である。この実施の形態例の硬貨処理装置はユニット化されており、様々な自動販売機や自動券売機その他の自動機械システムに組付けることによって、これらの自動機械システムの高機能化を図ることができるものである。
【００１８】
この硬貨処理装置１０は、図１に示すように、本体１２と、本体１２の上部に引き出し可能に取り付けられた硬貨補充庫１４とで構成されている。なお、硬貨補充庫１４の引き出し方法については後述する。図１及び２に示すように、本体１２は、上部の端部に入金口１６と出金口１８とを有しており、入金口１６の下側には入金された硬貨を繰り出していくホッパーフィード機構２０が設けられている。
【００１９】
ホッパーフィード機構２０は、入金口１６から投入された任意枚数（１又は２枚以上）の硬貨を一時的に収納する容器状のホッパー部を有しており、このホッパー部に収納された硬貨は、ベルト型のホッパーフイード機構によって整列して１枚ずつ下流へと送出されるようになっている。
【００２０】
また、ホッパーフィード機構２０の下流側には、駆動プーリ２２と従動プーリ２４とが対向する状態で配置されており、これらの間には搬送ベルト２６が卷装されていて、硬貨搬送部として構成されている。また、搬送ベルト２６の下側には、選別板３０が配置されており、選別板３０には、金種毎に硬貨を選り分けるための穴が上流から下流へと４個並んで形成されており、上流側から直径の小さい順に、５０円硬貨、１００円硬貨、１０円硬貨、５００円硬貨に対応する大きさになっている。搬送ベルト２６と選別板３０とで挟まれて送られてきた硬貨は、この穴から下方へと落下するようになっている。なお、搬送ベルト２６と選別板３０とによって第１の硬貨分別部３２が構成されている。
【００２１】
以上のように、この実施の形態では、ホッパーフィード機構２０から硬貨分別部３２までで、入金処理系統が構成されている。
【００２２】
また、搬送ベルト２６の上流側には、第１の硬貨識別部３４が配置されていて、ホッパーフィード機構２０から送出され選別板３０と搬送ベルト２６に挟まれて送られる硬貨の正偽を識別する働きをしている。偽硬貨はリジェクトされ、正しい硬貨のみが前記第１の硬貨分別部３２に送られる。ここで言う偽硬貨とは、偽硬貨の他、極端に磨耗した硬貨、変形した硬貨、外国の硬貨等も含む概念である。
【００２３】
第１の硬貨分別部３２の選別板３０の各穴の下側には４つの枠３６（上流側から５０，１００，１０，５００円硬貨用）が設けられており、それぞれに図示せぬ透過型のセンサが配置されていて、５０，１００，１０，５００円硬貨を識別した後、実際に識別結果通りに該当する枠に落下したか否か、またその落下した硬貨の数をカウントしている。
【００２４】
これらの枠３６の下側には、金種に対応して入金一時保留部３８が形成されおり、その底は両側から、図３に示すように、揺動可能なフラッパー３８ａ，３８ｂによって閉じられている。なお、図１において、入金一時保留部の右側に位置するのは入金リジェクト通路４０で、入金された硬貨のうち第１の硬貨識別部３４で正貨とされなかったものがリジェクトされてこの通路４０を介して出金口１８に戻るように構成されている（図４参照）。
【００２５】
また、図１に示すように、入金一時保留部３８の下側には、それぞれの金種に対応して４つのホッパー状の硬貨貯溜部４４が形成されており、１００円硬貨用の硬貨貯溜部４４ｂと１０円硬貨用の硬貨貯溜部４４ｃとの間には入金返却通路４６が設けられている。そして、例えば、図３に示す、入金一時保留部３８の右側のフラッパー３８ａが開けられると、入金一時保留部３８に一時保留されていた硬貨は入金返却通路４６を介して出金口１８に戻る。一方、左側のフラッパー３８ｂが開くと、入金一時保留部３８に一時保留されていた硬貨は硬貨貯溜部４４の中に落下する。フラッパー３８ａが開けられるのは、利用者が入金してみたものの途中で処理を中止させた場合、又は入金された硬貨が適切に分別されなかった場合である。
【００２６】
前記硬貨貯溜部４４は、図３に示すように、底部にモータ４８によって回転する円盤状のフィード機構５０が設けられており、モータ４８が回転することにより内部に貯溜されている硬貨が一枚ずつ下流側に送出される。硬貨貯溜部４４の出口には透過型センサ５２が配置されていて、送出される硬貨の枚数をカウントしている。また、硬貨貯溜部４４の出口下流側には揺動可能なフラッパー５４が取り付けられており、フラッパー５４の位置によって硬貨貯溜部４４から送出された硬貨は、その下側に配設されているベルトコンベア５６上に落下して出金口１８に釣銭として払い出されるか、あるいは本体１２の最下部に設けられている回収庫５８内に落下して回収される。
【００２７】
なお、必要とする釣銭の額と、硬貨貯溜部４４から送出された硬貨の額が異なる出金ミスがあった場合には、ベルトコンベア５６が逆回転して、上に載っている硬貨を本体１２の最下部最端部に設置されている出金リジェクト庫６０内に送出される。なお、図１中の符号６２はこの硬貨処理装置１０の動作制御をおこなうための制御基板である。
【００２８】
次に、釣銭用の硬貨不足に対処するための補充機構について説明する。釣銭を補充するための硬貨補充庫１４は、図１に示すように、本体１２の上部に配置されており、内部にベルトコンベア１４ａが配置されている。硬貨補充庫１４内に投入された硬貨は、ベルトコンベア１４ａによって運ばれて、硬貨補充庫１４の端部下面に形成されている開口部１４ｂから本体１２内に落下する。なお、硬貨の補充方法については後述する。
【００２９】
硬貨補充庫１４の開口部１４ｂの下側にあたる本体１２内には、開口部１４ｂから落下した補充硬貨を収納して下流側に繰り出していくホッパーフィード機構７０が設けられている。ホッパーフィード機構７０は、硬貨補充庫１４に投入され開口部１４ｂから落下した任意枚数（１又は２枚以上）の硬貨を一時的に収納する容器状のホッパー部を有しており、このホッパー部に収納された硬貨は、その底部に設けられた円盤状のフイード機構によって整列して１枚ずつ下流へと送出されるようになっている。
【００３０】
この、ホッパーフィード機構７０の下流側には、前述した入金硬貨処理の場合と同様に、駆動プーリ（不図示）と従動プーリ（不図示）とが対向する状態で配置されており、これらの間には、図３または図４に示すように、搬送ベルト２６と同様な搬送ベルト７２が卷装されていて、硬貨搬送部として構成されている。また、搬送ベルト７２の下側には、選別板７４が配置されており、選別板７４には、金種毎に硬貨を選り分けるための穴が上流から下流へと４個並んで形成されており、上流側から５０円硬貨、１００円硬貨、１０円硬貨、５００円硬貨に対応する大きさのものである。搬送ベルト７２と選別板７４とで挟まれて送られてきた硬貨は、この穴から下方へと落下するようになっている。なお、搬送ベルト７２と選別板７４とによって第２の硬貨分別部７６が構成されている。
【００３１】
以上のように、この実施の形態では、ホッパーフィード機構７０から硬貨分別部７６までで、補充硬貨処理系統が構成されている。この構成は基本的に、ホッパーフィード機構２０、駆動プーリ２２、従動プーリ２４、搬送ベルト２６、第１の硬貨分別部３２を含む、入金処理系統と同様である。
【００３２】
また、搬送ベルト７２の上流側には、図１に示すように、第２の硬貨識別部７８が配置されていて、ホッパーフィード機構７０から送出され選別板７４と搬送ベルト７２に挟まれて送られる硬貨の正偽を識別する働きをしている。偽硬貨はリジェクトされ、正しい硬貨のみが前記第２の硬貨分別部７６に送られる。
【００３３】
第２の硬貨分別部７６の選別板７４の各穴の下側には４つの枠８０（上流側から５０，１００，１０，５００円硬貨用）が設けられており、それぞれに図示せぬ透過型のセンサが配置されていて、落下する５０，１００，１０，５００円硬貨の数をカウントしている。
【００３４】
これらの枠８０の下側には、図３に示すように、金種に対応して補充硬貨一時保留部８２が形成されおり、その底は両側から、揺動可能なフラッパー８２ａ，８２ｂによって閉じられている。左側に位置するフラッパー８２ａが開くと補充硬貨一時保留部８２内に一時貯溜されていた硬貨はその下側に設けられている補充硬貨リジェクト庫８４に落下して回収される。右側のフラッパー８２ｂが開くと、補充硬貨一時保留部８２内の硬貨は、それぞれの金種に対応して設けられた４つの硬貨貯溜部４４（入金口１６から入金された硬貨が収納されるところ）に落下して収納され、釣銭用として用いられる。この構成は、基本的に枠３６の下側の入金一時保留部３８、フラッパー３８ａ、３８ｂと同様である。
【００３５】
本実施の形態に係る硬貨処理装置１０の構造は、上述したようになっていて、その動作も併せて簡単に説明したが、以下図５乃至図１４を参照してさらにこの硬貨処理装置１０の動作を説明する。なお、図１１を除く図中で（ａ）は正面図、（ｂ）は側面図、（ｃ）は断面図であり、動作の説明の便宜上（ａ）、（ｂ）も断面を示している。
【００３６】
先ず、利用者がこの硬貨処理装置１０の入金口１６に硬貨を投入すると、硬貨はホッパーフィード機構２０内のホッパー部に一時的に収納され、このホッパー部に収納された硬貨は、ベルト型のホッパーフイード機構によって整列され１枚ずつ下流へと送出される。その際に、例えばクリップ等の異物があった場合には、図５の矢印で示すように、ホッパーフィード機構２０の側面に設けられているフラッパー２０ａが開いて、異物は出金口１８へ返却される。
【００３７】
ホッパーフィード機構２０から送出された硬貨は、処理を行うために硬貨搬送部によって下流へと送られる。そのとき、第１の硬貨識別部３４で硬貨の正偽が識別される。変形等を含む偽硬貨と判断された場合、図６に示すように、選別板３０のところにあるフラッパー３０ａが開いて、該当する偽硬貨は落下し、破線矢印で示すように入金リジェクト通路４０を介してベルトコンベア５６上に落下して、このときはベルトコンベア５６は、図中右方向、接客面方向に動き、硬貨は出金口１８に戻される。正硬貨の場合には、第１の硬貨分別部３２によって、それぞれの金種に分別され、実線矢印で示すように、入金一時保留部３８に保留される。
【００３８】
次に、利用者が、例えば切符等を購入する場合に、目的地までの金額ボタンを操作すると、入金一時保留部３８内に保留されていた硬貨は、入金一時保留部３８の左側フラッパー３８ｂ（図７（ｃ））が開いて、図７の矢印で示すように、硬貨貯溜部４４内に落下して収納される。一方、利用者が、入金口１６に硬貨を投入したものの、購入中止をするボタンを操作した場合には、入金一時保留部３８の右側フラッパー３８ａ（図８（ｃ））が開いて、図８の矢印で示すように、入金一時保留部３８内に保留されていた硬貨は、入金返却通路４６を介しベルトコンベア５６上に落下して、このときはベルトコンベア５６は、図中右方向、接客面方向に動き、硬貨は出金口１８に戻される。
【００３９】
続いて、出金動作について説明する。投入金額と必要金額との差額が釣銭として払い出されるのであるが、硬貨貯溜部４４のモータ４８が回転することによりフィード機構５０が回転して、図９（ｃ）の矢印で示すように、内部に貯溜されている硬貨が一枚ずつ出口から送出される。その枚数は硬貨貯溜部４４の出口に設けられた透過型センサ５２によってカウントされる。そのとき、硬貨貯溜部４４の出口下流側に設けられた揺動可能なフラッパー５４は下側に倒れていて、硬貨貯溜部４４から送出された硬貨は、図９（ａ）の破線で示すように、その下側に配設されているベルトコンベア５６上に落下して出金口１８に釣銭として払い出される。
【００４０】
釣銭の金額に誤りがある出金ミスが生じた場合には、ベルトコンベア５６が逆回転して、即ち接客面とは反対側に動いて、図１０に示すように、上に載っている硬貨を本体１２の接客面とは反対側の最下部最端部に設置されている出金リジェクト庫６０内に排出される。
【００４１】
次に、硬貨の補充方法について説明する。この硬貨処理装置１０は、利用者が投入した硬貨も釣銭として利用するようになっているが、それでも不足する事態が生じた時に硬貨の補充を行うものである。また、硬貨処理装置の稼働前には硬貨を硬貨処理装置に供給しなければならないが、それも補充庫を経由した補充方法により行われる。
【００４２】
先ず、図１１に示すように、不図示のレールに沿って硬貨補充庫１４を本体１２から引き出して、上から硬貨を投入する。この場合、投入硬貨は、異なる金種が混在していてもよい。硬貨を投入し終わったら、硬貨補充庫１４を本体１２の元の位置に戻して操作をすると、内部のベルトコンベア１４ａが作動し、図１２に示すように、硬貨はベルトコンベア１４ａで運ばれて、開口部１４ｂから本体１２内に設けられたホッパーフィード機構７０の中に落下する。
【００４３】
このホッパーフィード機構７０に収納された硬貨は、整列して１枚ずつ下流へと送出される。そして、第２の硬貨識別部７８で正偽を識別され、さらに搬送ベルト７２と搬送ベルト７２の下側に配置されている選別板７４とで構成される第２の硬貨分別部７６によって金種毎に分別されて補充硬貨一時保留部８２に保留される。そして、右側のフラッパー８２ｂ（図１２（ｃ））が開き、補充硬貨一時保留部８２内の硬貨は、それぞれの金種に対応して設けられた４つの硬貨貯溜部４４に落下して収納され、釣銭用として用いられる。
【００４４】
硬貨補充庫１４に投入された硬貨をリジェクトするには、図１３に示すように、補充硬貨一時保留部８２の左側に位置するフラッパー８２ａ（図１３（ｃ））を開くと補充硬貨一時保留部８２内に一時保留されていた硬貨はその下側に設けられている補充硬貨リジェクト庫８４に、矢印で示すように落下して回収される。
【００４５】
硬貨処理装置１０の処理が終了して、内部の硬貨を回収するには、図１４（ｃ）に示すように、硬貨貯溜部４４の出口近傍に設けられているフラッパー５４を立ち上げると、内部の硬貨は、矢印で示すように、回収庫５８内に落下して、回収することができる。
【００４６】
【発明の効果】
以上説明したように、本発明は、入金口から投入された硬貨と、硬貨補充庫に投入された硬貨の正偽の識別及び金種の分別を別々に行うように構成しているので、硬貨処理の利用を停止することなく不足硬貨の補充を行うことができる。また、金種の異なる硬貨を混在させて硬貨補充庫に投入することができるため、硬貨処理装置の寸法を拡大させることなく種々の硬貨の補充が行える。
【図面の簡単な説明】
【図１】本発明に係る硬貨処理装置の１実施形態の正面図である。
【図２】本発明に係る硬貨処理装置の１実施形態の接客面側の側面図である。
【図３】図１に示す硬貨処理装置のＡ−Ａ線による断面図である。
【図４】図１に示す硬貨処理装置のＢ−Ｂ線による断面図である。
【図５】異物の返却動作を説明する図である。
【図６】入金処理の流れを説明する図である。
【図７】入金硬貨の収納動作を説明する図である。
【図８】入金硬貨の返却動作を説明する図である。
【図９】出金動作を説明する図である。
【図１０】出金リジェクト動作を説明する図である。
【図１１】硬貨の補充方法を説明する図である。
【図１２】補充硬貨の流れを説明する図である。
【図１３】補充リジェクトの動作を説明する図である。
【図１４】硬貨の回収の流れを説明する図である。
【符号の説明】
１０        硬貨処理装置
１２        本体
１４        硬貨補充庫
３２        第１の硬貨分別部
３４        第１の硬貨識別部
４４        硬貨貯溜部
７６        第２の硬貨分別部
７８        第２の硬貨識別部
【図１】
0003699556.tif 000002
【図２】
0003699556.tif 000003
【図３】
0003699556.tif 000004
【図４】
0003699556.tif 000005
【図５】
0003699556.tif 000006
【図６】
0003699556.tif 000007
【図７】
0003699556.tif 000008
【図８】
0003699556.tif 000009
【図９】
0003699556.tif 000010
【図１０】
0003699556.tif 000011
【図１１】
0003699556.tif 000012
【図１２】
0003699556.tif 000013
【図１３】
0003699556.tif 000014
【図１４】
0003699556.tif 000015